(57)【要約】【課題】使用者の任意のタイミングで液状香料の蒸発・拡散を行うことが可能な芳香器を提供する。【解決手段】芳香器Ａは、容器部材１０を収容する収容部材３０と、収容部材３０に収容され、精油Ｅが浸透して蒸発する蒸発部材４０と、を備えている。蒸発部材４０は、内筒部２２側に配置されている。収容部材３０は、蒸発部材４０を外部に露出させる露出用開口部３５を有している。【選択図】図３
2014233404.tif 000002
【特許請求の範囲】
【請求項１】
液状香料を貯留する内空部と前記液状香料が流出する流出部とを有する容器部材を収容する収容部材と、
前記収容部材に収容され、前記液状香料が浸透して蒸発する蒸発部材と、を備えた芳香器であって、
前記蒸発部材は、前記流出部側に配置され、
前記収容部材は、前記蒸発部材を外部に露出させる露出用開口部を有していることを特徴とする芳香器。
【請求項２】
前記収容部材は、上下で二分割されて構成され、下側に位置するボトム部材と、上側に位置するヘッド部材と、を有し、
前記ヘッド部材は、前記露出用開口部を有しているとともに、前記蒸発部材を収容し、
前記ボトム部材及び前記ヘッド部材は、前記容器部材の全体を覆うことを特徴とする請求項１に記載の芳香器。
【請求項３】
前記ヘッド部材は、前記蒸発部材の周縁を保持する保持部を有していることを特徴とする請求項２に記載の芳香器。
【請求項４】
風が送出される送風部に対し前記収容部材を取り付けるための取付部材をさらに備え、
前記収容部材及び前記取付部材は、互いに相対回転可能に連結され、
前記ボトム部材は、前記容器部材の大部分を収容していることを特徴とする請求項２又は請求項３に記載の芳香器。
【請求項５】
前記蒸発部材は、前記送風部の送風方向と重なるように配置されていることを特徴とする請求項４に記載の芳香器。
【請求項６】
前記ボトム部材は、前記容器部材の外面に当接して支持する複数のリブを有していることを特徴とする請求項２乃至請求項５のいずれか一項に記載の芳香器。
【請求項７】
前記ヘッド部材は、前記容器部材の外面に当接して支持する複数のリブを有していることを特徴とする請求項２乃至請求項６のいずれか一項に記載の芳香器。
【発明の詳細な説明】
【技術分野】
【０００１】
本発明は、芳香器に関するものである。
【背景技術】
【０００２】
従来、香りによって快適な生活空間を演出するための種々の技術が開発されている。例えば、非特許文献１には、カーエアコンの送風部に装着される芳香器に関し、液状香料を収容する内空部と浸透膜とを隔てるアルミシートに微細な孔を空けることによって、香り成分を空気中へ蒸発・拡散させる技術が開示されている。
【０００３】
また、非特許文献２には、液状香料を収容する容器部材の内部に下端側が配置され、容器部材の外部に上端側が配置された木製リードを備え、木製リードの下端から液状香料を吸い上げ、上端から空気中へ蒸発・拡散させる技術が開示されている。
【先行技術文献】
【特許文献】
【０００４】
【非特許文献１】「ファブリーズ  クルマ  イージークリップ」，［online］，P&G，平成２５年５月１８日検索，インターネット〈http://jp.pg.com/innovations/innov_fab_c.jsp〉
【非特許文献２】「アロマリード」，［online］，JAYE NIEMI，平成２５年５月１８日検索，インターネット〈ＵＲＬ：http://www.alione.net/aromareeds.htm〉
【発明の概要】
【発明が解決しようとする課題】
【０００５】
ところが、非特許文献１，２の技術では、液状香料が空気中へ常時蒸発・拡散されるため、使用者の望むタイミングで液状香料の蒸発・拡散を行うことができないという問題があった。
【０００６】
本発明は、このような観点から創案されたものであり、使用者の任意のタイミングで液状香料の蒸発・拡散を行うことが可能な芳香器を提供することを課題とする。
【課題を解決するための手段】
【０００７】
前記課題を解決するため本発明は、液状香料を貯留する内空部と前記液状香料が流出する流出部とを有する容器部材を収容する収容部材と、前記収容部材に収容され、前記液状香料が浸透して蒸発する蒸発部材と、を備えた芳香器であって、前記蒸発部材は、前記流出部側に配置され、前記収容部材は、前記蒸発部材を外部に露出させる露出用開口部を有している。
本発明によれば、蒸発部材は、液状香料が流出する流出部側に配置され、収容部材は、蒸発部材を外部に露出させる露出用開口部を有しているので、蒸発部材が流出部に対し下側に位置するように収容部材を傾けることで、液状香料が流出して蒸発部材に浸透し、その後蒸発して露出用開口部を通じて空気中へ拡散される。したがって、使用者の任意のタイミングで液状香料の蒸発・拡散を行うことができる。
【０００８】
また、前記収容部材は、上下で二分割されて構成され、下側に位置するボトム部材と、上側に位置するヘッド部材と、を有し、前記ヘッド部材は、前記露出用開口部を有しているとともに、前記蒸発部材を収容し、前記ボトム部材及び前記ヘッド部材は、前記容器部材の全体を覆う構成とするのが好ましい。
かかる構成によれば、収容部材を構成するボトム部材及びヘッド部材は、容器部材の全体を覆うので、容器部材が外部に露出せず、芳香器の美的外観を高めることができる。
【０００９】
また、前記ヘッド部材は、前記蒸発部材の周縁を保持する保持部を有している構成とするのが好ましい。
かかる構成によれば、ヘッド部材は、蒸発部材の周縁を保持する保持部を有しているので、蒸発部材を確実に保持できるとともに、蒸発部材が空気に触れる面積を広く確保することができる。
【００１０】
また、風が送出される送風部に対し前記収容部材を取り付けるための取付部材をさらに備え、前記収容部材及び前記取付部材は、互いに相対回転可能に連結され、前記ボトム部材は、前記容器部材の大部分を収容している構成とするのが好ましい。
かかる構成によれば、収容部材及び取付部材は、互いに相対回転可能に連結されているので、収容部材のみを回転させ、収容部材の向きを変えることが可能となり、収容部材を送風部に装着したまま蒸発部材への液状香料の供給作業を行うことができる。
また、収容部材及び取付部材は、互いに相対回転可能に連結され、ボトム部材は、容器部材の大部分を収容しているので、例えば、カーエアコンの送風部に芳香器を装着し、ボトム部材とヘッド部材が上下逆になっている場合であっても、車両走行時の振動やボトム部材側の重さによって、ボトム部材が下側に位置し、ヘッド部材が上側に位置する正規の姿勢に戻りやすくなる。
【００１１】
また、前記蒸発部材は、前記送風部の送風方向と重なるように配置されている構成とするのが好ましい。
かかる構成によれば、蒸発部材は、送風部の送風方向と重なるように配置されているので、送風部からの風を利用して、蒸発部材に浸透した液状香料を広範囲に拡散できる。
【００１２】
また、前記ボトム部材は、前記容器部材の外面に当接して支持する複数のリブを有している構成とするのが好ましい。
かかる構成によれば、ボトム部材は、容器部材の外面に当接して支持する複数のリブを有しているので、ボトム部材を補強しつつ、容器部材のガタつきを抑制することができる。
【００１３】
また、前記ヘッド部材は、前記容器部材の外面に当接して支持する複数のリブを有している構成とするのが好ましい。
かかる構成によれば、ヘッド部材は、容器部材の外面に当接して支持する複数のリブを有しているので、ヘッド部材を補強しつつ、容器部材のガタつきを抑制することができる。
【発明の効果】
【００１４】
本発明によれば、使用者の任意のタイミングで液状香料の蒸発・拡散を行うことが可能な芳香器を提供することができる。
【図面の簡単な説明】
【００１５】
【図１】本発明の実施形態に係る芳香器をカーエアコンの送風部に装着した状態を模式的に示す側面図である。
【図２】本発明の実施形態に係る芳香器を示す斜視図であり、（ａ）は、背面側から見た状態を示す斜視図であり、（ｂ）は、正面側から見た状態を示す斜視図である。
【図３】本発明の実施形態に係る芳香器を示す分解斜視図である。
【図４】本発明の実施形態に係る芳香器を示す縦断面図である。
【図５】図４のＩ−Ｉ線に沿った断面図である。
【図６】図４のＩＩ−ＩＩ線に沿った断面図である。
【図７】（ａ）は、ボトム部材の凸部とヘッド部材の溝部を示す部分拡大側面図であり、（ｂ）は、（ａ）のＩＩＩ−ＩＩＩ線に沿った断面図である。
【図８】（ａ）は、ヘッド部材の連結部を斜め下方から見た状態を示す部分拡大斜視図であり、（ｂ）は、（ａ）のＩＶ−ＩＶ線に沿った断面図であって、取付部材を連結部に挿入した状態を示す断面図である。
【図９】本発明の実施形態に係る芳香器の使用方法を説明するための縦断面図である。
【発明を実施するための形態】
【００１６】
本発明の実施形態について、図面を参照して詳細に説明する。説明において、同一の要素には同一の符号を付し、重複する説明は省略する。
本実施形態では、本発明の芳香器を、カーエアコンの送風部に装着する場合を例にして説明するが、芳香器の使用目的を限定するものではない。
【００１７】
図１に示すように、芳香器Ａは、送風部ＶのフィンＦに対し装着され、精油Ｅ（図４参照）を蒸発・拡散する部材である。芳香器Ａは、図２，図３に示すように、容器部材１０と、中栓２０と、収容部材３０と、蒸発部材４０と、取付部材５０と、を備える。
【００１８】
＜容器部材＞
容器部材１０は、図３，図４に示すように、内空部を有する有底円筒状のガラス製部材である。内空部には、精油Ｅが貯留されている。容器部材１０は、図３に示すように、下端側に設けられ、上下方向に沿って一定の直径に形成された大径部１１と、上端側に設けられ、大径部１１よりも直径が小さく形成された小径部１２と、大径部１１の上端と小径部１２の下端とを繋ぐ段差部１３と、を有している。容器部材１０の上端には、平面視円形状の開口部１４が上下に貫通して形成されている。なお、容器部材１０の材質や形状などは、適宜変更してよい。
【００１９】
＜中栓＞
中栓２０は、図３，図４に示すように、上下端が開口した略円筒状の樹脂製部材である。中栓２０は、容器部材１０の開口部１４に装着されている。中栓２０は、容器部材１０から蒸発部材４０へ精油Ｅを１滴ずつ流出する機能を備えるとともに、容器部材１０の内空部を気密乃至液密に保持して精油Ｅの品質劣化を防ぐ機能を備えている。中栓２０は、図４に示すように、底壁部２１と、内筒部２２と、足部２３と、外筒部２４と、を有している。
【００２０】
底壁部２１は、開口部１４よりも小径に形成された略円形状の部位である。底壁部２１の中心には、円形状の流出孔２１ａが上下に貫通して形成されている。
【００２１】
内筒部２２は、底壁部２１の上面から上方へ向かって延設された円筒状の部位である。内筒部２２は、底壁部２１と同心状に形成され、流出孔２１ａの周囲を囲むように設けられている。流出孔２１ａ及び内筒部２２は、容器部材１０から精油Ｅが流出する流出部として機能する。本実施形態では、流出孔２１ａ及び内筒部２２が容器部材１０の流出部を構成している。
【００２２】
足部２３は、底壁部２１の下面から下方へ向かって延設された長尺な四角筒状の部位である。足部２３の内部には、空気孔２３ａが上下に貫通して形成されている。空気孔２３ａの上端は、底壁部２１のうち内筒部２２と外筒部２４との間であって、かつ、流出孔２１ａに干渉しない位置に開口している。
【００２３】
外筒部２４は、内筒部２２の径方向外側であって、底壁部２１の周縁から上方へ向かって延設された円筒状の部位である。外筒部２４の外周面は、段差状に形成されている。外筒部２４の上端外周面には、所定長だけ拡径した環状の鍔部２４ａが形成されている。鍔部２４ａは、開口部１４よりも大径に形成され、容器部材１０の上端に当接している。
【００２４】
＜収容部材＞
収容部材３０は、図２，図３に示すように、容器部材１０や蒸発部材４０を収容保持する樹脂製部材である。収容部材３０は、上下で二分割されて構成され、下側に位置するボトム部材３１と、上側に位置するヘッド部材３２と、を有している。ボトム部材３１及びヘッド部材３２は、容器部材１０の全体を外側から覆っている。
【００２５】
＜ボトム部材＞
ボトム部材３１は、図３，図４に示すように、大径部１１や小径部１２の下端側を収容保持する機能を備え、上端が開口した有底円筒状の部材である。ボトム部材３１は、略水平状かつ円形状の底壁部３１ａと、底壁部３１ａの周縁から上方へ向かって延設された円筒状の側壁部３１ｂと、底壁部３１ａの上面と側壁部３１ｂの内周面とに跨って形成されたリブ３１ｃと、を有している。
【００２６】
側壁部３１ｂの下端は、底壁部３１ａへ向かうにつれて徐々に縮径するテーパ状に形成されている。側壁部３１ｂの上端内周面には、所定長だけ拡径した拡径部３１ｄが形成されている。拡径部３１ｄには、図３に示すように、四角柱状の凸部３１ｅが径方向内側へ向かって突設されている。凸部３１ｅは、ボトム部材３１の軸中心に対し周方向に等角度となるように複数設けられている（本実施形態では１８０度間隔で合計２個）。
【００２７】
リブ３１ｃは、図４に示すように、ボトム部材３１自体を補強する機能を備えるとともに、容器部材１０の大径部１１の外周面に当接して下方乃至側方から支持する機能を備えている。リブ３１ｃの突出量は、下方へ向かうにつれて漸増している。リブ３１ｃは、図５に示すように、ボトム部材３１の軸中心に対し周方向に等角度となるように複数設けられている（本実施形態では１２０度間隔で合計３個）。なお、図５では、説明の便宜上、容器部材１０を二点鎖線で表現している。
【００２８】
＜ヘッド部材＞
ヘッド部材３２は、図３，図４に示すように、小径部１２の上端側や蒸発部材４０を収容保持する部材である。ヘッド部材３２は、下端が開口した略円筒状の基部３３と、基部３３の上端に形成された逆Ｕ字状の第１保持部３４と、基部３３と第１保持部３４とに囲まれて形成された露出用開口部３５と、基部３３の内周面に形成されたリブ３６と、基部３３の背面側に形成されて取付部材５０を連結する逆Ｕ字状の連結部３７と、を有している。
【００２９】
基部３３は、図４に示すように、上壁部３３ａと、上壁部３３ａの周縁から下方へ向かって延設された側壁部３３ｂと、で構成されている。上壁部３３ａの中心には、矩形状の挿通孔３３ｃが上下に貫通して形成されている。挿通孔３３ｃの開口縁には、一対の第２保持部３３ｄが下方へ向かって突設されている。第２保持部３３ｄは、板状かつ矩形状に形成され、蒸発部材４０の下縁を保持している。第２保持部３３ｄの下端中央には、下方へ向かって突出する支持部３３ｅがそれぞれ設けられている。支持部３３ｅは、内筒部２２の外形形状に合わせて円弧状に形成されている。支持部３３ｅは、内筒部２２を側方から支えている。
【００３０】
側壁部３３ｂの下端外周面には、図３に示すように、所定長だけ縮径した縮径部３３ｆが形成されている。縮径部３３ｆには、略Ｌ字状の溝部３３ｇが径方向内側へ向かって凹設されている。溝部３３ｇは、ボトム部材３１の凸部３１ｅに対し周方向で対応する位置に複数設けられている（本実施形態では合計２個，図３では１個のみ図示）。溝部３３ｇは、側壁部３３ｂの下端から上方へ向かって延設された後、周方向に沿って延設されている。溝部３３ｇの周方向に沿う部位には、図７（ａ），（ｂ）に示すように、溝部３３ｇを周方向で分断する段部３３ｈが膨出形成されている。この段部３３ｈを設けることによって、凸部３１ｅが係合（嵌入）する凹部３３ｉが区画形成されている。なお、図７では、説明の便宜上、ボトム部材３１を二点鎖線で表現している。ボトム部材３１とヘッド部材３２を組み付ける際には、溝部３３ｇの下側開口と凸部３１ｅを上下で一致させつつ、ヘッド部材３２をボトム部材３１の上方から被せた後、ヘッド部材３２を水平方向に回転させると、凸部３１ｅが段部３３ｈを超えて凹部３３ｉに嵌入する。これにより、ボトム部材３１及びヘッド部材３２の上下方向や水平方向の移動が規制され、ボトム部材３１とヘッド部材３２を組み付けることができる。
【００３１】
第１保持部３４は、図２乃至図４に示すように、蒸発部材４０の周縁（上縁及び両側縁）を保持する凹溝状の部位である。第１保持部３４は、両端が上壁部３３ａに連続して一体に形成されている。
【００３２】
露出用開口部３５は、図２，図３に示すように、上辺に対し下辺が長い略台形状の孔であり、水平方向に沿って開口している。露出用開口部３５は、蒸発部材４０を外部に露出させる役割を担っている。
【００３３】
リブ３６は、図６に示すように、ヘッド部材３２自体を補強する機能を備えるとともに、容器部材１０の小径部１２側の外周面に当接して側方から支持する機能を備えている。リブ３６は、ヘッド部材３２の軸中心に対し周方向に等角度となるように複数設けられている（本実施形態では１２０度間隔で合計３個）。なお、図６では、説明の便宜の上、容器部材１０を二点鎖線で表現するとともに、中栓２０を省略して描いている。
【００３４】
連結部３７は、図８（ａ）に示すように、側壁部３３ｂの外周面から垂直方向に延設された逆Ｕ字状の垂直壁３７ａと、垂直壁３７ａの基端に沿って形成された第１フランジ部３７ｂと、垂直壁３７ａの先端に沿って形成された第２フランジ部３７ｃと、を有している。第２フランジ部３７ｃの内縁の奥側部位は、後記する取付部材５０の軸部５１ａの外形形状に合わせて半円状に形成されている。連結部３７には、図８（ｂ）に示すように、垂直壁３７ａと第１フランジ部３７ｂと第２フランジ部３７ｃとによって囲繞された第１〜第３空間部３７ｄ〜３７ｆが形成されている。第１〜第３空間部３７ｄ〜３７ｆは、下側が開口し、下方から取付部材５０を挿入可能に構成されている。第１空間部３７ｄには、取付部材５０の締結部材５３の頭部が挿入される。第２空間部３７ｅには、取付部材５０の第１鍔部５１ｂが挿入される。第３空間部３７ｆには、取付部材５０の軸部５１ａが挿入される。
【００３５】
＜蒸発部材＞
蒸発部材４０は、図３に示すように、精油Ｅが浸透して蒸発する板状のフェルト製部材である。蒸発部材４０は、露出用開口部３５から外部に露出する本体部４１と、本体部４１の下端中央から下方へ向かって突設された矩形状の挿入部４２と、を有している。なお、蒸発部材４０は、精油Ｅを浸透・蒸発させることが可能であれば、その材質や形状などはいかなる構成であってもよい。
【００３６】
本体部４１は、露出用開口部３５の開口形状に合わせて略台形状に形成されている。本体部４１は、図４に示すように、挿通孔３３ｃの下方から挿通されている。本体部４１の周縁は、第２保持部３３ｄ同士の間や第１保持部３４内に差し込まれて挟持されている。本体部４１は、図１に示すように、送風部Ｖの送風方向（図１の矢印参照）と水平方向で重なるように配置されている。すなわち、本体部４１は、送風部Ｖからの送風が直接当たる位置に配置されている。
【００３７】
挿入部４２は、図４に示すように、第２保持部３３ｄ同士の間に差し込まれて挟持されている。挿入部４２の下端は、内筒部２２の上端に当接している。挿入部４２は、内筒部２２から精油Ｅを直接受け取る役割を担っている。
【００３８】
＜取付部材＞
取付部材５０は、図１に示すように、送風部Ｖに対し収容部材３０を取り付けるための金属製部材である。取付部材５０は、連結部３７に対し着脱可能な取付基部５１と、送風部ＶのフィンＦに係止する係止部５２と、取付基部５１と係止部５２とを締結する締結部材５３と、を有している。なお、取付部材５０は、フィンＦに対し収容部材３０を装着可能であれば、その材質や形状などはいかなる構成であってもよい。
【００３９】
取付基部５１は、図４に示すように、円筒状の軸部５１ａと、軸部５１ａの軸方向両端の外周面にそれぞれ拡径して形成された第１鍔部５１ｂ，第２鍔部５１ｃと、で構成されている。軸部５１ａの上半部は、第２フランジ部３７ｃの内縁の奥側部位に当接して係止されている。このような構成により、取付基部５１が連結部３７から脱落することが防止される。軸部５１ａの下半部は、第２フランジ部３７ｃに当接していないフリー状態となっている。第１鍔部５１ｂは、第１フランジ部３７ｂ及び第２フランジ部３７ｃに対し隙間を空けて配置されている。このような構成により、収容部材３０及び取付部材５０を水平軸周りに互いに回転させることができる。つまり、収容部材３０及び取付部材５０が互いに相対回転可能に連結されている。そのため、収容部材３０のみを回転させ、収容部材３０の向きを変えることが可能となり、収容部材３０を送風部Ｖに装着したまま蒸発部材４０への精油Ｅの供給作業を行うことができる。
【００４０】
係止部５２は、図４に示すように、複数箇所を折曲して成形されたクリップ状の部位である。係止部５２は、フィンＦを上下から挟み込んで挟持する２本のアーム部５２ａを有している。２本のアーム部５２ａの基端同士は、結合部５２ｂを介して結合されている。２本のアーム部５２ａは、先端に向かうにつれて互いに近づいていき接触した後、互いに遠ざかるように構成されている。本実施形態では、収容部材３０及び取付部材５０が互いに相対回転可能に連結されているため、フィンＦが横向きや縦向きであっても、収容部材３０に対し取付部材５０を相対回転させることで、アーム部５２ａによってフィンＦを挟持できる。
【００４１】
締結部材５３は、図４に示すように、取付基部５１と係止部５２とを一体に固定する部材であり、リベットで構成されている。締結部材５３の頭部及びかしめ部は、取付基部５１や係止部５２から外部にそれぞれ露出している。
【００４２】
＜精油＞
本実施形態で使用する精油Ｅとしては、例えば、オレンジ油、レモン油、ライム油、ブチグレン油、ユズ油、ネロリ油、ベルガモット油、ラベンダー油、ラバジン油、アビエス油、ベイ油、イランイラン油、サンダルウッド油、ラブダナム油、シトロネラ油、ゼラニウム油、ペパーミント油、ハッカ油、スペアミント油、ユーカリ油、レモングラス油、バチュリ油、ジャスミン油、ローズ油、シダー油、ベチバー油、ガルバナム油、オークモス油、バイン油、樟脳油、白檀油、檜油、緑茶精油などが挙げられる。
【００４３】
また、精油Ｅは、上記例示列挙したものをそれぞれ単独で使用してもよいし、２種以上を調合して使用してもよい。更に、精油Ｅに対し、例えば、水、水溶性有機溶剤、脂肪族又は芳香族炭化水素類、界面活性剤、可溶化安定化剤、安定剤、ｐＨ調整剤、着色剤などを適宜配合した液状組成物（希釈溶液）を使用してもよい。なお、水溶性有機溶剤としては、例えば、アルコール類、グリコール類、グリコールエーテル類が挙げられる。
【００４４】
本発明の実施形態に係る芳香器Ａは、基本的には以上のように構成されるものであり、次に、図９を参照して、本発明の実施形態に係る芳香器Ａの使用方法について説明する。なお、図９では、説明の便宜上、容器部材１０から流出する精油Ｅを極端に多く描いて表現している。
【００４５】
はじめに、取付部材５０に対し収容部材３０を水平軸周りに回転させて所定の角度傾ける。詳しくは、蒸発部材４０が容器部材１０に対し下側に位置するように収容部材３０を回転させて傾ける。
【００４６】
収容部材３０を回転させて傾けると、容器部材１０の精油Ｅは、流出孔２１ａ及び内筒部２２を通って、挿入部４２に到達する。挿入部４２に到達した精油Ｅは、本体部４１に浸透し、その後蒸発して露出用開口部３５を通じて空気中へ拡散される。
【００４７】
以上説明した本実施形態によれば、蒸発部材４０は、精油Ｅが流出する内筒部２２側に配置され、収容部材３０は、蒸発部材４０を外部に露出させる露出用開口部３５を有しているので、蒸発部材４０が内筒部２２に対し下側に位置するように収容部材３０を傾けることで、精油Ｅが流出して蒸発部材４０に浸透し、その後蒸発して露出用開口部３５を通じて空気中へ拡散される。したがって、使用者の任意のタイミングで精油Ｅの蒸発・拡散を行うことができる。
【００４８】
本実施形態によれば、ヘッド部材３２は、蒸発部材４０の周縁を保持する第１保持部３４，第２保持部３３ｄを有しているので、蒸発部材４０を確実に保持できるとともに、蒸発部材４０が空気に触れる面積を広く確保することができる。
【００４９】
本実施形態によれば、蒸発部材４０は、送風部Ｖの送風方向と重なるように配置されているので、送風部Ｖからの風を利用して、蒸発部材４０に浸透した精油Ｅを広範囲に拡散できる。
【００５０】
本実施形態によれば、収容部材３０及び取付部材５０は、互いに相対回転可能に連結されているので、収容部材３０のみを回転させ、収容部材３０の向きを変えることが可能となり、収容部材３０を送風部Ｖに装着したまま蒸発部材４０への精油Ｅの供給作業を行うことができる。
【００５１】
本実施形態によれば、収容部材３０を構成するボトム部材３１及びヘッド部材３２は、容器部材１０の全体を覆うので、容器部材１０が外部に露出せず、芳香器Ａの美的外観を高めることができる。
【００５２】
本実施形態によれば、収容部材３０及び取付部材５０は、互いに相対回転可能に連結され、ボトム部材３１は、容器部材１０の大部分を収容しているので、例えば、ボトム部材３１とヘッド部材３２が上下逆になっている場合であっても、車両走行時の振動やボトム部材３１側の重さによって、ボトム部材３１が下側に位置し、ヘッド部材３２が上側に位置する正規の姿勢に戻りやすくなる。
【００５３】
本実施形態によれば、ボトム部材３１は、容器部材１０の外周面に当接して支持する複数のリブ３１ｃを有しているので、ボトム部材３１を補強しつつ、容器部材１０のガタつきを抑制することができる。
【００５４】
本実施形態によれば、ヘッド部材３２は、容器部材１０の外面に当接して支持する複数のリブ３６を有しているので、ヘッド部材３２を補強しつつ、容器部材１０のガタつきを抑制することができる。
【００５５】
以上、本発明の実施形態について図面を参照して詳細に説明したが、本発明はこれに限定されるものではなく、発明の主旨を逸脱しない範囲で適宜変更可能である。
【００５６】
本実施形態では、本発明の芳香器Ａを、カーエアコンに装着して使用した場合について説明したが、本発明はこれに限定されるものではなく、カーエアコン以外の送風機器、詳しくは、ルームエアコン、扇風機、冷風機などに装着して使用してもよい。また、トイレ、玄関、リビング、台所、寝室などに置く据え置き用として使用してもよい。
【００５７】
本実施形態では、液状香料として精油Ｅを使用したが、本発明はこれに限定されるものではなく、液状香料として植物性香料、動物性香料、合成香料などの中から適宜選択して単独で使用してもよいし、これらの香料を適宜調合して使用してもよい。ちなみに、動物性香料としては、例えば、シベット（霊猫香）、カストリウム（海狸香）などが挙げられる。合成香料としては、例えば、リモネン、リナロール、テルピネオール、ゲラニオール、シトロネラール、シトロネロール、シトラール、メントール、リリアール、ボルネオール、クミンアルデヒド、ｎ−ノニルアルデヒド、α−アミルシンナミックアルデヒド、バニリン、カンファー、ヨノン、エチレンブラシレート、ガラクソリド、ベンジルアセテート、酢酸リナリルなどが挙げられる。
【００５８】
本実施形態では、中栓２０を備えたが、本発明はこれに限定されるものではなく、中栓２０を省いてもよい。この場合、開口部１４が容器部材１０の流出部を構成する。
【００５９】
本実施形態では、取付部材５０との連結部３７をヘッド部材３２に設けたが、本発明はこれに限定されるものではなく、ボトム部材３１に設ける構成としてもよい。
【符号の説明】
【００６０】
Ａ      芳香器
Ｅ      精油（液状香料）
１０    容器部材
１４    開口部（流出部）
２０    中栓
２１ａ  流出孔（流出部）
２２    内筒部（流出部）
３０    収容部材
３１    ボトム部材
３１ｃ  リブ
３２    ヘッド部材
３３ｄ  第２保持部
３４    第１保持部
３５    露出用開口部
３６    リブ
４０    蒸発部材
５０    取付部材
Ｖ      送風部
Ｆ      フィン
【図１】
2014233404.tif 000003
【図２】
2014233404.tif 000004
【図３】
2014233404.tif 000005
【図４】
2014233404.tif 000006
【図５】
2014233404.tif 000007
【図６】
2014233404.tif 000008
【図７】
2014233404.tif 000009
【図８】
2014233404.tif 000010
【図９】
2014233404.tif 000011